Podtech/llm-jp-corpus-v4-ja_patent huggingface dataset:
(57)【要約】【課題】頭髪の染毛に要する時間を短縮すること。【解決手段】染毛装置１は、炭酸ガスボンベ２、レギュレータ３、ガスホース４及びヘアキャップ５からなる。酸化染毛剤の第１剤と第２剤とを混合調製して、これを被術者の頭髪に塗布した後、頭部にヘアキャップ５をかぶせて頭髪をヘアキャップ５にて覆い、そのヘアキャップ５内に炭酸ガスボンベ２から炭酸ガスを供給して、放置する。炭酸ガスを用いなければ約２０分を要するところが、本実施例の方法であれば約１０分で染め上がりとなり、染毛に要する時間を短縮できる。【選択図】図１
0003124808.tif 000002
【実用新案登録請求の範囲】
【請求項１】
被術者の頭部にかぶせるキャップと、
前記キャップの内側に連通する管路と、
前記管路に炭酸ガスを送出する炭酸ガス源と
を備えたことを特徴とする染毛装置。
【考案の詳細な説明】
【技術分野】
【０００１】
本考案は、頭髪の染毛の技術分野に属する。
【背景技術】
【０００２】
酸化染料及びアルカリ剤が含有される第１剤と酸化剤が含まれる第２剤とを混合調製し、この混合物を頭髪に塗布することにより、頭髪を染色する染毛方法が知られている。
【特許文献１】特開２００５−２９８４３１号公報
【考案の開示】
【考案が解決しようとする課題】
【０００３】
従来の染毛方法では、第１剤と第２剤とを混合調製した染毛剤を頭髪に塗布してから染毛が完了するまでにおよそ２０〜３０分を要していたが、この時間の短縮が求められていた。
【課題を解決するための手段】
【０００４】
請求項１記載の染毛装置は、被術者の頭部にかぶせるキャップと、前記キャップの内側に連通する管路と、前記管路に炭酸ガスを送出する炭酸ガス源とを備えたことを特徴とする。
【０００５】
第１剤と第２剤とを混合調製する染毛剤にあって第１剤に含有されている酸化染料は、言うまでもなく頭髪を染色するための成分であり、酸化重合によって発色する。
アルカリ剤は、第２剤中に含有される酸化剤の作用を促進する作用と、頭髪のキューティクル（鱗状の表皮）を開く作用がある。アルカリ剤の代表例としてはアンモニア水がある。
【０００６】
第２剤に含まれている酸化剤は、酸化染料を酸化重合させて発色させると共に、毛髪に含まれるメラニンを脱色（ブリーチ）するために配合される。酸化剤の代表的なものとして過酸化水素がある。
【０００７】
第１剤と第２剤とを混合調製した染毛剤を頭髪に塗布すると、アルカリ剤（例えばアンモニア水）と酸化剤（例えば過酸化水素）とが反応して酸素が発生する。この酸素により頭髪が脱色される。また、アルカリ剤は、キューティクルを開いて、酸化染料等の頭髪への浸透を促進する。そして、酸化染料は酸化剤に由来する酸素と反応して酸化重合し発色する。
【０００８】
この過程で炭酸ガスを与えると、染毛に要する時間を短縮できる。その理由としては、（ａ）炭酸ガスがメラニンの脱色（ブリーチ）を促進する、（ｂ）酸化染料の酸化重合を促進する、（ｃ）キューティクルを程良く開く、或いはこれらの２つ又は３つが複合的に作用していると推測されるが、正確には未解明である。
【０００９】
炭酸ガスは、混合物を塗布した頭髪をキャップにて覆い、そのキャップ内に供給する。
キャップは、頭髪周囲の炭酸ガスの濃度を適度に維持するためのものであり、プラスチックフィルム製のシャワーキャップのようなもので十分である。また、キャップと頭部との間の隙間から多少の炭酸ガスが漏れ出しても問題はない。
【００１０】
炭酸ガスは、キャップを被術者の頭部にかぶせた直後に、キャップの内容積以上（ほぼ同量でよい）を供給すれば十分であり、染毛処理中を通じて継続的に供給する必要はない。但し、キャップからの漏れが多い場合には、その漏れ分を補う程度に供給するとよい。
【００１１】
請求項１記載の染毛装置は、被術者の頭部にかぶせるキャップと、前記キャップの内側に連通する管路と、前記管路に炭酸ガスを送出する炭酸ガス源とを備えているので、上記の方法を実施するのに好適であり、上述の効果が得られる。
【考案を実施するための最良の形態】
【００１２】
次に、本考案の実施例等により考案の実施の形態を説明する。なお、本考案は下記の実施例等に限定されるものではなく、本考案の要旨を逸脱しない範囲でさまざまに実施できることは言うまでもない。
［実施例］
（１）染毛装置
図１に示すように、本実施例の染毛装置１は、炭酸ガス源である炭酸ガスボンベ２、炭酸ガスボンベ２のネックに接続されたレギュレータ３、レギュレータ３に接続されたガスホース４、ガスホース４の先端に取り付けられたヘアキャップ５からなる。この染毛装置１は、レギュレータ３を操作すれば、炭酸ガスボンベ２の炭酸ガスをガスホース４からヘアキャップ５の内側に送り込むことができる。
（２）染毛処理
日本インターレップ株式会社（販売者）の酸化染毛剤の第１剤（＃６１シズリングスパイラと＃１７ペリーバニラを混合使用）と第２剤（ルウスーペロキサイド（６％））とを、この染毛剤の説明書に従って混合調製して、これを被術者（モニタ）の頭髪に塗布した。その後、モニタの頭部にヘアキャップ５をかぶせて頭髪をヘアキャップ５にて覆い、そのヘアキャップ５内に炭酸ガスボンベ２から炭酸ガスを１０ｌ供給して１０分放置した。
【００１３】
その後ヘアキャップ５を取り外して、酸化処理を行った後、プレーンリンス等の処理を行ってから確認したところ、十分な染め上がりであった。
上記説明書には、染毛の完了には約２０分を要すると記載されていたが、本実施例によれば約１０分で染め上がりとなり、染毛に要する時間を短縮できることが確認できた。
【００１４】
なお、このときのモニタによれば、「プチプチ」、「シュワシュワ」という発泡が感じられたとのことである。
おそらく、下記式（１）のように一旦炭酸ガスと化合し、その後式（２）のように分解して炭酸ガスを生じさせる物質が第１剤又は第２剤に配合されていたものと考えられる。なお、反応相手を炭酸ナトリウム（Ｎａ2ＣＯ3）としたのはあくまでも推測であり、実際にこの反応が生じたか否かは定かでない。
（化１）
Ｎａ2ＣＯ3＋ＣＯ2＋Ｈ2Ｏ→２ＮａＨＣＯ3  ・・・（１）
２ＮａＨＣＯ3→Ｎａ2ＣＯ3＋ＣＯ2＋Ｈ2Ｏ  ・・・（２）
上記のような発泡現象が生じるのは第１剤又は第２剤に配合されている成分次第と考えられるが、この発泡は不快ではなく、むしろ染毛処理が行われていることを実感させるというモニタの評価であった。
【００１５】
従って、上記式（１）、（２）のように、炭酸ガスと化合した後に分解して炭酸ガスを発生する反応が生じる物質を第１剤又は第２剤に配合しておくことは、本考案の実施にあたって好ましいと言える。
【図面の簡単な説明】
【００１６】
【図１】実施例の染毛装置の説明図。
【符号の説明】
【００１７】
１・・・染毛装置、
２・・・炭酸ガスボンベ（炭酸ガス源）、
３・・・レギュレータ、
４・・・ガスホース（管路）、
５・・・ヘアキャップ。
【図１】
0003124808.tif 000003
(57)【要約】      （修正有）【課題】  災害から身を守るだけでなく、非常用品等も同時に持ち出すことが出来る、防災収納着を提供する。【解決手段】裏地がアルミ素材による防災加工の布地であり、外側と内側のポケットには非常用品が収納でき、襟首には炎が入らないように立ち襟仕立てとし、袖付けは腕が入り易いように好ましくはラグラン袖仕立てとし、袖口は炎が入らないように裏表細く出来るようになっている。表地がアルミ加工製品からなり、コートとして簡単に着られて、該コートの内側の裏地も燃えにくい加工がされていて、襟元は立ち襟で火が入りにくく、手首にも火が入らぬよう袖口が絞れるようにしてあり、収納力のある複数のポケットが取り付けてある、防災収納着。【選択図】図１
0003124828.tif 000002
【実用新案登録請求の範囲】
【請求項１】
表地がアルミ加工製品からなり、コートとして簡単に着られて、該コートの内側の裏地も燃えにくい加工がされていて、襟元は立ち襟で火が入りにくく、手首にも火が入らぬよう袖口が絞れるようにしてあり、収納力のある複数のポケットが取り付けてある、防災収納着。
【考案の詳細な説明】
【技術分野】
【０００１】
本考案は、災害時に使用する防災着に関するものである。
【背景技術】
【０００２】
従来ば、専門家である消防士用の防災着はあっても、一般の人が気軽に着用出来る物がないという欠点があり、本考案の目的を達成出来るものではなかった。
【０００３】
この改善策として、特許文献１が提案されている。しかしながら襟元が開放されてあることや袖口が開放的であることから、この部分から炎が入ってくる欠点がある。また、作業が行い易い形であるが故に、ポケットに大量のものを入れることが出来ない欠点がある。
【特許文献１】特開２００１−１２３４５６号
【考案の開示】
【考案が解決しようとする課題】
【０００４】
災害から身を守るだけでなく、非常用品等も同時に持ち出すことが出来る、防災収納着を提案する。
【課題を解決するための手段】
【０００５】
表地がアルミ加工製品からなり、コートとして簡単に着られて、該コートの内側の裏地も燃えにくい加工がされていて、襟元は立ち襟で火が入りにくく、手首にも火が入らぬよう袖口が絞れるようにしてあり、収納力のある複数のポケットが取り付けてある、防災収納着を提案する。
【考案の効果】
【０００６】
表地はアルミ素材による防災加工のため、燃えにくい。
お尻より下まで長めに仕立ててあるので、炎から身を守ることが出来る。
外側のポケットには、懐中電灯等を入れることができる。
内側のポケットには、着替え、タオル、薬等非常用品を収容出来る。
【考案を実施するための最良の形態】
【０００７】
表地にアルミ加工がしてある。裏地は火が点いても燃え上がらずに消えてしまう難燃加工がしてある。表地がアルミ素材による防災加工の布地であり、外側と内側のポケットには非常用品が収納でき、襟首には炎が入らないように立ち襟仕立てとし、襟付けは腕が入り易いように、好ましくはラグラン袖仕立てとし、袖口は炎が入らないように細くすることができる。
【図面の簡単な説明】
【０００８】
【図１】正面図
【図２】裏地右前見頃（左右同じ）
【図３】裏地後ろ身頃
【符号の説明】
【０００９】
１    立ち襟
２    ラグラン袖
３    留め具
４    表のポケット
５    袖口（テープで止めることが出来る）
６    裏の前身頃
７    ポケットを閉める留め具
８    内ポケット
９    内ポケット
１０  内ポケット
１１  裏地の後ろ身頃
１２  ポケットを止める止め具
１３  裏地背のポケット
１４  ポケットを止める止め具
１５  裏地後ろの裾のポケット
【図１】
0003124828.tif 000003
【図２】
0003124828.tif 000004
【図３】
0003124828.tif 000005
(57)【要約】【課題】スクリーンケースを部屋のカーテン、インテリア、壁面等と色彩等の面で好ましくコーディネートさせる。【解決手段】  映像投射用シート５を繰り出し自在に巻き付けるローラー７を内設するスクリーンケース９を覆うカバー本体１と、該カバー本体１を壁等の支持体１１に着脱自在に取り付けるための取付手段３とよりなり、該カバー本体１には所望の色彩を備えさせたことを特徴とするスクリーンケースカバー。カバー本体１は、所望の色彩を備えた塗料により塗装してもよいが、所望の色彩を有する合成樹脂により形成しても差し支えない。【選択図】図１
0003124836.tif 000002
【実用新案登録請求の範囲】
【請求項１】
映像投射用シートを繰り出し自在に巻き付けるローラーを内設するスクリーンケースを覆うカバー本体と、該カバー本体を壁等の支持体に着脱自在に取り付けるための取付手段とよりなり、該カバー本体には所望の色彩を備えさせたことを特徴とするスクリーンケースカバー。
【考案の詳細な説明】
【技術分野】
【０００１】
本考案は、ホームシアター用のスクリーンケースに取り付けられるカバーに関するものである。
【背景技術】
【０００２】
オーディオビジュアル装置からの映像出力を映像投射プロジェクターから映像投射用のスクリーンに投射させ、該オーディオビジュアル装置からの音声出力をスピーカーから出すようにしたホームシアター装置は、例えば実開平６−１３６６１号公報等に開示されている。
【０００３】
ホームシアター用のスクリーンは、室内の壁面等に固定された円筒状等のスクリーンケース内に水平方向に配設されたローラーに映像投射用シートを繰り出し自在に巻き付けてなるものが一般に使用されている。
【特許文献１】実開平６−１３６６１号公報
【考案の開示】
【考案が解決しようとする課題】
【０００４】
上記従来のスクリーンにおいては、スクリーンケースが室内に露出しているのであるが、該スクリーンケースが配設されている部屋のカーテン、インテリア、壁面等は種々に異なる。従って、該スクリーンケースが部屋のカーテン、インテリア、壁面等と色彩等の面で好ましい統一感を有しない場合も往々にしてある。
【０００５】
このような状況に鑑み、本考案は、スクリーンケースを部屋のカーテン、インテリア、壁面等と色彩等の面で好ましくコーディネートさせようとしてなされたものである。
【課題を解決するための手段】
【０００６】
上記課題を解決するために、本考案は、下記のスクリーンケースカバーを提供する。
【０００７】
映像投射用シートを繰り出し自在に巻き付けるローラーを内設するスクリーンケースを覆うカバー本体と、該カバー本体を壁等の支持体に着脱自在に取り付けるための取付手段とよりなり、該カバー本体には所望の色彩を備えさせたことを特徴とするスクリーンケースカバー。
【考案の効果】
【０００８】
本考案によるスクリーンケースカバーのカバー本体は所望の色彩を備えているため、該カバー本体自体が好ましい外観を有するのみならず、該カバー本体は部屋のカーテン、インテリア、壁面等と色彩等の面で好ましい統一感を有する。即ち、本考案によるスクリーンケースカバーは、部屋の好ましいインテリアとなる。
【考案を実施するための最良の形態】
【０００９】
本考案によるスクリーンケースカバーは、カバー本体１と取付手段３とよりなる。
【００１０】
カバー本体１は、映像投射用シート５を繰り出し自在に巻き付けるローラー７を内設するスクリーンケース９を覆うものである。
【００１１】
スクリーンケース９は、一例として、円筒状のものとする。
【００１２】
図４に示す映像投射用シート５は、映像投射面５ａの周囲にマスク５ｂを備えている。
【００１３】
映像投射用シート５は、電動手段によりローラー７に繰り出し自在に巻き付けるようにしたものであってもよいが、手動でローラー７に繰り出し自在に巻き付けるようにしたものであってもよい。
【００１４】
カバー本体１は、スクリーンケース９を覆うものである。即ち、カバー本体１は、スクリーンケース９が下方向以外の方向からは見えないようにスクリーンケース９を覆う。
【００１５】
図示の事例においては、カバー本体１は、正面部１ａと上面部１ｂと背面部１ｃと左右両側面部１ｄ、１ｅとを備えた略長方形状の箱状体である。
【００１６】
カバー本体１には、所望の色彩を備えさせる。
【００１７】
即ち、カバー本体１は、所望の色彩を備えた塗料により塗装してもよいが、所望の色彩を有する合成樹脂により形成しても差し支えない。
【００１８】
カバー本体１の色彩は、例えば、ブルーメタリック、レッドメタリック、ブラックメタリック、ホワイトメタリック、オレンジメタリック、バイオレットメタリック等とする。また、カバー本体１に複数の色彩を備えさせても差し支えない。
【００１９】
取付手段３は、カバー本体１を壁等の支持体１１に着脱自在に取り付けるものである。
【００２０】
取付手段３は、一例として、断面略Ｊ字状の支持部材１３と該支持部材１３を壁等の支持体１１に固着するネジ等の固着具１５とよりなる。
【００２１】
この取付手段３においては、支持部材１３を固着具１５により壁等の支持体１１に固着した後、カバー本体１の背面部１ｃを該支持部材１３に係止する。
【図面の簡単な説明】
【００２２】
【図１】本考案によるスクリーンケースカバーの一例を支持体に取り付けた状態を示す断面図である。
【図２】図１のＩＩ−ＩＩ線における断面図である。
【図３】同上スクリーンケースカバーを取り付けたスクリーンを示す斜視図である。
【図４】同上スクリーンケースカバーを取り付けたスクリーンを示す別の斜視図である。
【符号の説明】
【００２３】
１  カバー本体
１ａ  正面部
１ｂ  上面部
１ｃ  背面部
１ｄ  側面部
１ｅ  側面部
３  取付手段
５  映像投射用シート
５ａ  映像投射面
５ｂ  マスク
７  ローラー
９  スクリーンケース
１１  支持体
１３  支持部材
１５  固着具
【図１】
0003124836.tif 000003
【図２】
0003124836.tif 000004
【図３】
0003124836.tif 000005
【図４】
0003124836.tif 000006
(57)【要約】【課題】  シリンダーの外された状態で閉じられた製品を開錠する時、破損の解消等。【解決手段】  シリンダーの外された状態で閉じられた製品を開錠するために、扉開錠具１０を固定すスライド軸部をスライド可能、且つ、その軸回りに回転可能に保持する保持部材▲１▼と、製品を開錠する為の、スライド軸部に設けられた、扉開錠用スライド金具を操作する操作部２により、この課題を解決する。【選択図】図１
0003124778.tif 000002
【実用新案登録請求の範囲】
【請求項１】
扉開閉用スライド金具を操作するための扉開閉錠具であって、
スライド軸部と、
前記スライド軸部をスライド可能、且つ、その軸回りに回転可能に保持する保持部材と
前記スライド軸部に設けられ、前記スライド金具に係合して、そのスライド金具を操作する操作部とを備えることを特徴とする扉開閉錠具。
【考案の詳細な説明】
【技術分野】
【０００１】  本考案は、シリンダーを外された状態で扉が閉じた製品を開錠する器具に関する。
【背景技術】
【０００２】  従来の、シリンダーを外された状態で扉の閉じた製品を開錠する方法は、製品に穴等を新たに開け、開錠を行っていた。
【考案の開示】
【考案が解決しようとする課題】
【０００３】  しかし、これでは、純正製品が破損され、且つ構造が変化して製品の性能低下につながり、製品の設置不認可にも発展します。
【課題を解決するための手段】
【０００４】  そこで、スライド軸部をスライド可能、且つ、その軸回りに回転可能に保持する保持部材と、スライド軸部に設けられた、扉開錠用スライド金具を操作する操作部を考案した（図１）。
この扉開錠具により、シリンダーを外された状態で扉の閉じた製品を純正製品が破損される事が無く開錠され、且つ構造が変化して製品の性能低下にならない為、安全に流通する事が可能になります。
【考案の効果】
【０００５】  よって、本考案の扉開錠具により、従来のシリンダーを外された状態で扉の閉じた製品を開錠する時、シリンダーの径及び長さに合わせた固定保持用具で扉開錠具を固定し、製品の開錠用開口部に合せた開錠用突起部で製品を開錠して、製品が破損される事はなくなる。
【考案を実施するための最良の形態】
【０００６】  本考案に係わる扉開錠具１０は、図１に示すようにスライド軸部をスライド可能、且つ、その軸回りに回転可能に保持する保持部１で扉開錠具１０を固定し、スライド軸部に設けられた、扉開錠用スライド金具を操作する操作部２を挿入し、扉開錠用スライド金具Ｔをスライドさせ、製品の開錠を行う。
【図面の簡単な説明】
【０００７】
【図１】  本考案に係る扉開錠具１０を、シリンダーを外され閉じた状態の製品Ｓにスライド軸部をスライド可能、且つ、その軸回りに回転可能に保持する保持部材１で扉開錠具１０を固定し、スライド軸部に設けられた、扉開錠用スライド金具を操作する操作部２で扉開錠用スライド金具Ｔをスライドさせ、製品の開錠を行う状態の正面図である。
【図２】  本考案に係る扉開錠具１０を、シリンダーを外され閉じた状態の製品Ｓにスライド軸部をスライド可能、且つ、その軸回りに回転可能に保持する保持部材１で扉開錠具１０を固定し、スライド軸部に設けられた、扉開錠用スライド金具を操作する操作部２で扉開錠用スライド金具Ｔをスライドさせ、製品の開錠を行う状態の側面図である。
【図３】  本考案に係る扉開錠具１０を、スライド軸部をスライド可能、且つ、その軸回りに回転可能に保持する保持部材１より、扉開錠用スライド金具を操作する操作部２を引っ込めた状態の図面である。
【図４】  本考案に係る扉開錠具１０を、スライド軸部をスライド可能、且つ、その軸回りに回転可能に保持する保持部材１より、扉開錠用スライド金具を操作する操作部２を引っ込めた状態の図面である。
【符号の説明】
【０００８】  １  スライド軸部をスライド可能、且つ、その軸回りに回転可能に保持する保持部材
２  スライド軸部に設けられた、扉開錠用スライド金具を操作する操作部
１０  扉開錠具
Ｓ  製品の開錠用スライド金具操作用開口部
Ｔ  製品の開錠用スライド金具
【図１】
0003124778.tif 000003
【図２】
0003124778.tif 000004
【図３】
0003124778.tif 000005
【図４】
0003124778.tif 000006
(57)【要約】      （修正有）【課題】木目込みまりの布を木目込む溝の位置を決めるための線引きを、安定して確実に、かつ、熟練を要せず可能とする球面線引器を設け、木目込み細工の普及に資する。【解決手段】内側が空洞な球体を、その直径部分を通る平面で、二つに切り分けた半球体であって、二つの半球体を、それぞれ球冠の先端部分２を欠切して、この欠切した部分で、これら二つの半球体を対称につなぎ合わせ３、半球体それぞれの空洞な直径部分の円周１の縁に、任意数の目盛を付して、木目込みまりに布を木目込む溝の位置を示す線を、極めて容易に安定的に、まりの球面に引くことができる球面線引器である。【選択図】図３
0003124777.tif 000002
【実用新案登録請求の範囲】
【請求項１】
内側が空洞な球体を、その直径部分を通る平面で、二つに切り分けた半球体であって、二つの半球体を、それぞれ球冠の先端部分を欠切して、この欠切した部分で、これら二つの半球体を対称につなぎ合わせ、半球体それぞれの空洞な直径部分の円周の縁に、任意数の目盛を付したことを特徴とする球面線引器。
【考案の詳細な説明】
【技術分野】
【０００１】  この考案は、まりの球面に付する木目込み溝の位置を決めるための線引器に関するものである。
【背景技術】
【０００２】  これまで、木目込みまりに、布を木目込む溝の位置を決めるための、木目込みまりの球面への線引きは、巻尺などをまりの球面に巻き付け、これを指で押さえながら非常に不安定な状態で、巻尺の縁辺をたどって、球面に線を引いていた。
【考案の開示】
【考案が解決しようとする課題】
【０００３】  この方法での木目込みまりの球面への線引きは、まず、木目込みまりの球面に、片手で巻尺をあて、もう一方の手で筆記具を持って、不安定な球面上で細心の注意を払って巻尺が球面に密着して動かないようにしながら、球面に巻尺を押し当て、巻尺に沿って線を引いていた。
これには熟練が必要であり、作業も大変であった。
この考案は、半球体の空洞にまりをいれて固定し、半球体の直径部分の縁に沿って線を引けば、簡単に線引きが可能となり、前記の難点が容易に解決されるものである。
【課題を解決するための手段】
【０００４】  この考案は、内側が空洞な球体を、その直径部分を通る平面で、二つに切り分けて作られた半球体であって、それぞれ球冠の先端部分を欠切して、この欠切した部分で、これら二つの半球体を対称につなぎ合わせて、それぞれの空洞な直径部分の円周の縁に、任意数の目盛を付した球面線引器で、それぞれの空洞な半球体の内径に、まりの球体が密着するように、まりを嵌め込み、半球体の直径部分の円周の縁に沿って、まりの球面に線を引くことができる。
【考案の効果】
【０００５】  この考案による球面線引器は、従来のように巻尺などを、まりの球面に手で押さえながら不安定な状態で、線を引いていたものと異なり、半球体の空洞の器に線引きするまりを正確に嵌め込み固定し、半球体の直径部分の円周の縁に沿って筆記具を動かすことによって、熟練を要さず、誰でも極めて容易に、まりの球面に正確な線を引くことができる。
【考案を実施するための最良の形態】
【０００６】  この考案を実施するための最良の形態の一つは、二つの半球体を、それぞれ、球冠の先端から、その半径の二分の一の長さの部分で欠切して、この部分でそれぞれの半球体を対称につなぎ合せたもので、空洞な半球体の直径部分は、それぞれ外方を向かって平行に収まる。
この形態のものは、線引きをするまりの球面の先端が、つなぎ合わされたもう一方の半球体の空洞な部分へ突き抜けて、この半球体の直径面と同一平面におさまり、まりが安定感を持って固定され、効率的で無駄のない線引きができる。
【実施例】
【０００７】  この考案による球面線引器は、二つの半球体を対称につなぎ合わせて作られている。
それぞれの半球体の空洞な直径部分の円周の縁に付してある目盛は、任意数の偶数目盛が、目盛の数を変えてそれぞれ付されている。
それぞれの半球体は片方ずつを使用するが、このとき、もう一方は、台座となって、球面線引器の安定的な使用に資する。
まりの大きさに応じて、これに対応する大きさの球面線引器を準備する。【０００８】  球面線引器でまりに線を引くときは、球面線引器の空洞な内側に密着できる大きさの直径のまりを球面線引器に嵌め込み、まず球面線引器の半球体の空洞な直径部分の円周の縁に沿って、筆記具でまりの赤道部分に線を引いていく、次に、球面線引器の半球体の空洞な直径部分の円周の縁に沿って付してある目盛にしたがって、まりの赤道の線上に印をつける。そして、球面線引器の半球体の空洞な直径部分の円周の縁とまりの赤道とが直角になるようにまりを動かし、まりの赤道につけた印に従って逐次、球面に線を引いていく。
これが球面線引器の基本的な使用方法である。
【図面の簡単な説明】
【０００９】
【図１】球面線引器の平面図である。
【図２】球面線引器の底面図である。
【図３】球面線引器の側面図である。
【図４】球面線引器の斜視図である。
【図５】線引きの実施状況を示す図である。
【符号の説明】
【００１０】１  半球体の空洞な直径部分の円周
２  球冠の先端部分
３  半球体の球冠の先端部を欠切してつなぎ合わせた部分
４  目盛
５  球面線引器
６  木目込みまり
７  筆記具
８  手の指
【図１】
0003124777.tif 000003
【図２】
0003124777.tif 000004
【図３】
0003124777.tif 000005
【図４】
0003124777.tif 000006
【図５】
0003124777.tif 000007
(57)【要約】【課題】  本考案は、建築物における階段下の狭い空間を有効に活用することを目的とする。【解決手段】  階段の蹴込み板を前板とする引出しを踏み板の下側に設け、引出しを階段の正面側に引き出すことで、階段最下部や天井裏等の狭い空間を有効に活用できる。【選択図】図１
0003124786.tif 000002
【実用新案登録請求の範囲】
【請求項１】
階段の蹴込み板を前板とし、踏み板の下側に設ける階段下の空間を利用した引出し。
【考案の詳細な説明】
【技術分野】
【０００１】  本考案は、階段下の空間を利用した引出しに関するものである。
【背景技術】
【０００２】  建築物における階段下の空間は、通常物入れなど収納スペースとして裏側から使われることが多いが、段数が少なくなると高さも低くなって使いにくくなるため、上りはじめの部分、特に２〜３段目以下の部分ではほとんど使われることもなく、閉鎖されてしまうこともある。
これに対し、階段下の側面を引出しや戸棚にした箱段がある。しかしこの箱段は、引出しを階段の側面側に引き出す方式のため、階段の側面側に空間が必要となり、両側が壁で閉鎖されているなど階段の配置によっては設置できない場合がある。
【考案の開示】
【考案が解決しようとする課題】
【０００３】  本考案は、階段の両側が閉鎖されている場合でも、階段下の狭い空間を収納スペースとして有効に活用できるようにすることを目的とする。
【課題を解決するための手段】
【０００４】  階段の蹴込み板を前板とする引出しを踏み板の下側に設け、引出しを階段の正面側に引き出す。
本発明は、以上のような構成よりなる階段下に設けた引出しである。
【考案の効果】
【０００５】  よって、当考案による階段蹴込み引き出しは、階段の両側に空間がなくても設置が可能であり、階段の最下部や天井裏の部分など狭い空間でも収納スペースとして有効に活用できるものである。
【考案を実施するための最良の形態】
【０００６】  階段の各段（任意に設定）の踏み板の下部蹴込み板を前板とする引出しを踏み板の下側に設ける。引出しの奥行きは、階段下の奥行きに応じて自由である。
【図面の簡単な説明】
【０００７】
【図１】  本考案に係る階段蹴込み引出しを、階段の３段目まで設置した場合の断面図である。
【符号の説明】
【０００８】    １    引出し前板
２    引出し引手
３    引出し底板
４    引出し側板
５    引出し向う板
６    階段踏み板
７    階段蹴込み板
８    階段下空間
９    床面
【図１】
0003124786.tif 000003
(57)【要約】      （修正有）【課題】従来の気管孔エプロンは、重力によって皮膚面に密着し気管孔を塞ぎ、安眠の妨げになる問題があったので、この問題を解消し、安眠を確保する気管孔用保護具の提供を目的とするものである。【解決手段】気管孔用保護具であって、ポリエチレン等の合成樹脂を素材とする、甲状腺形板の中央部分を小ドームによる空洞構造とし、前記甲状腺形板に多数の通気孔を設け、且つ表面全体を通気性の高い布、例えばガーゼ等で覆った気管孔用保護具を考案し、寝具等の吸着や気管孔閉塞によって安眠が妨げられる要因を排除して上記問題の解決を図った。【選択図】図５
0003124787.tif 000002
【実用新案登録請求の範囲】
【請求項１】
気管孔用保護具であって、合成樹脂を素材とする甲状腺形板の中央部を小ドーム
による空洞構造とし、前記甲状腺形板に多数の通気孔を設け、かつ表面全体を通気
性の高い布で覆ったことを特徴とする気管孔用保護具。
【請求項２】
請求項１記載の気管孔用保護具に於いて、前記甲状腺形板の両耳部に装着用留め  
具を設けたことを特徴とする気管孔用保護具。
【考案の詳細な説明】
【技術分野】
【０００１】
本考案は、小ドームを設けた気管孔の保護フィルターに関するものである。
【背景技術】
【０００２】
従来、気管孔保護用具として気管孔エプロンと呼ばれる、柔らかいガーゼやニッ
ト生地製のものがあった。しかしこのエプロンが汗や呼気により湿ってくると吸着
しやすくなり、不快感や気管孔閉塞が生じやすく、特に睡眠中は無意識の中で突然
激しい咳き込みに襲われることがあり安眠が度々妨げられた。
【０００３】
上記の様な背景から「気管孔ネットエプロン」が考案され、登録された。（特許
文献１参照）
【特許文献１】実用新案登録第３００１６４０号  公報
【考案の開示】
【考案が解決しようとする課題】
【０００４】
前記考案は、エプロンの裏面中央部に、ポリエチレン製ネットエプロンを取り付
けることで、痰によるベタつきや吸着による気管孔閉塞感の軽減を図ったもので、    
それなりの効果はあったと考えられるが、就寝時における効果は無かった。その理
由は、日常の着用を前提として考案されており、就寝時においてはエプロンが重力
によって気管孔周辺の皮膚面に密着し気管孔を塞いでしまい、安眠の妨げになる問
題があった。このような安眠を妨げる要因を排除し、安眠を確保する気管孔用保護
具の提供を目的とするものである。
【課題を解決するための手段】
【０００５】
気管孔用保護具であって、ポリエチレン等の合成樹脂を素材とする、甲状腺形板
の中央部分を小ドームによる空洞構造とし、前記甲状腺形板に多数の通気孔を設け、
且つ表面全体を通気性の高い布、例えばガーゼ等で覆った気管孔用保護具を考案し、
寝具等の吸着や気管孔閉塞により安眠が妨げられる要因を排除して上記問題の解決
を図った。なお前記甲状線形板の両耳部にゴム紐等の装着用留め具を設けてもよい。
【考案の効果】
【０００６】
気管孔用保護具の構造を小ドーム構造としたので、吸着や気管孔閉塞等が無くな
り安眠を確保した。且つ、甲状腺形板に多数の通気孔を設け呼吸を容易にした。ま
た、前記甲状腺形板の表面全体を通気性の高い布で覆ったので、呼気が浄化され保
温、保湿効果もあり安眠確保に役立った。
【０００７】
着脱時は、前記甲状腺形板の両耳部に設けた留め具を使用して、本保護具の着脱
を容易かつ迅速に行えるようにした。
【考案を実施するための最良の形態】
【０００８】
以下、本考案の実施の形態を、実施例となる図１〜図６を参照しながら説明する。
図１、図４は本考案の気管孔用保護具の平面や、Ａ−Ｂ断面図を示しポリエチレ
ン等の合成樹脂を素材とする、甲状腺形板Ｍ（以下本体Ｍとする）の中央部に円形
の小ドーム５を設けるとともに、表面に多数の通気孔９を設けた。本体Ｍの両耳部
１０には装着用の部品として、ゴム紐１とその先端にフック状の留め具２を付けて
いる。また、図中のマジックテープ３（登録商標）は、図２に示すガーゼ等の通気
性の高い布６が、容易にずれたりめくれたりしないよう、仮止めが可能なことを示
している。
【０００９】
本体Ｍを構成する合成樹脂としては、ポリエチレン、ポリエステル、ナイロン等
で、薄くて耐久性があり、水洗いが可能で拭けばすぐ乾く性質のものであれば、いずれでも可である。
本考案にいう甲状腺形とは、首の前下にあって蝶形をした、ほぼ四角形の成長ホルモン分泌線に類似した形状を指す。
本体Ｍの中央部に設ける小ドーム５とは、凸状に半径４〜５cm高さ約４〜５mm程
度の円筒により本体Ｍの内側に空洞ができる構造にしたもので、形状は一例として
円形を示したが、同程度の空間が確保できれば、楕円形、四角形であってもよい。
本体Ｍに設けた通気孔９は呼気調整のためのもので、相当数が必要である。一例
として、本体Ｍの周縁部分約１cm程度は強度確保のために除き、他は全て穿孔域と
し、縦横各１cm程度の方眼線の各交点に、直径約５mm程度の円孔を穿孔した。小ド
ーム５の部分については気管孔８に近く、呼気量の激しい変化を考慮して、縦横の
間隔を７mm前後に縮め、円孔の直径を３mm程度として、穿孔密度をやや密にした。
【００１０】
図３は本考案の気管孔用保護具の裏面を示し、本体Ｍの外周縁部にはスポンジ小
帯４を貼付して使用者の肌触りを良くした。図２に示した通気性の高い布６につい
ては、ガーゼ、晒生地、不織布等織り目の粗い布が使用可能である。
【００１１】
本考案の実施例となる気管孔用保護具は以上のような構成から成っており、図６
で示すとおり気管孔８を覆うように、ガーゼ等の通気性の高い布６で表面を覆った
本体Ｍをセットし、ゴム紐１を首の後ろに回し、留め具２で留めて装着し就寝する。この時小ドーム５は気管孔８の上面に位置し、小ドーム５により形成される空洞は気管孔８と小ドーム５との間に充分な空間を作る。この空間により、小ドーム５および本体Ｍを覆うガーゼ等の通気性の高い布６の生地は、気管孔８との間に、仰向けに寝ている場合であっても空洞を形成する為、皮膚表面に密着することはない。
【図面の簡単な説明】
【００１２】
【図１】本体の表面平面図である。
【図２】本体の表面に装着するガーゼ等の平面図である。
【図３】本体の裏面平面図である。
【図４】本体のＡ−Ｂ切断面拡大図である。
【図５】本体にガーゼ等を装着した状態の平面図である。
【図６】気管孔保護具を装着、就寝した状態の側面説明図である。
【符号の説明】
【００１３】
Ｍ     本体
1      ゴム紐
2      留め具
3      マジックテープ（登録商標）
4      スポンジ小帯
5      小ドーム
6      ガーゼ等の通気性の高い布
７      寝具（布団、毛布等）
８      気管孔
９      通気孔
１０    耳部  
【図１】
0003124787.tif 000003
【図２】
0003124787.tif 000004
【図３】
0003124787.tif 000005
【図４】
0003124787.tif 000006
【図５】
0003124787.tif 000007
【図６】
0003124787.tif 000008
(57)【要約】【課題】新聞、本を無造作に収納し、容易に結束が出来るようにする。【解決手段】収納部分をとりはずすことが出来るようにすることによって、新聞、本を容易に整理、結束が出来るようにした。【選択図】図１
0003124785.tif 000002
【実用新案登録請求の範囲】
【請求項１】
新聞、本を収納、結束する箱状のもので、外側の部分と、内側の筒状の収納部分からなり、収納部分を取り外すことが出来るようにすることによって、新聞、本を無造作に収納し、容易に結束が出来るようにした新聞、本の整理箱。
【考案の詳細な説明】
【技術分野】
【００１】本考案は、新聞、本の収納部分をとりはずすことが出来るようにすることによって、容易に新聞、本の結束が出来るようにしたものである。
【背景技術】
【００２】従来は、収納部分をとりはずすことが出来るようにしたものはなかった。
【考案の開示】
【考案が解決しようとする課題】
【００３】収納を無造作に行い、それを結束するには困難があった。
【課題を解決するための手段】
【００４】収納部分の底部を外枠の底部に密着するようにセットし、新聞、本を収納した後、結束するときは収納部分を取り外し、あらかじめ底部の溝に十字に通してあった紐で結束する。
【図面の簡単な説明】
【００５】
【図１】１は収納部分で、家庭用ゴミ箱の形状で底板がなく筒状。２は外枠で底部に紐を通す十字の溝がある。
【図２】底部の構造である。
【符号の説明】
【００６】１  収納部分
２  外枠
３  底部
【図１】
0003124785.tif 000003
【図２】
0003124785.tif 000004
(57)【要約】      （修正有）【課題】ミラー破損時も簡単に剥がせて容易に交換でき、不使用時に簡単に剥がせるとともに繰返し使用出来る、ミクロ吸着シートと一体化した携帯電話用着脱フリーミラーの提供。さらに、着脱フリーミラー拭きをミクロ吸着シートと一体化することによりミラー面を簡単に拭ける利点と携帯電話の液晶画面も拭ける便利さを提供する。【解決手段】ミラー１に、両面テープ２と、ミクロ吸着シート３とを張り合わせ、またミラー拭き４に、両面テープ５と、ミクロ吸着シート６とを張り合わせ、ミクロ吸着シート３、６を携帯電話裏面に吸着させ、ミクロ吸着シート３、６は着脱フリーに使用する事が出来、携帯電話用着脱フリーミラー、携帯電話用着脱フリーミラー拭きをセットにした構造。【選択図】図３
0003124741.tif 000002
【実用新案登録請求の範囲】
【請求項１】
本案は携帯電話用着脱フリーミラー、着脱フリーミラー拭きにして、１はミラー、２は両面テープ、３はミクロ吸着シート、４はミラー拭き、５は両面テープ、６はミクロ吸着シート、７は携帯電話裏面である。
【考案の詳細な説明】
【技術分野】
【０００１】  本案は上記のごとくして、図４に示す如く、ミラー１に、両面テープ２と、ミクロ吸着シート３とを張り合わせ、また、ミラー拭き４に、両面テープ５と、ミクロ吸着シート６とを張り合わせ、図３に示す如くミクロ吸着シート３、６を携帯電話裏面に吸着させ図４に示す如く、ミクロ吸着シート３、６は着脱フリーに使用する事が出来、携帯電話用着脱フリーミラー、着脱フリーミラー拭きをセットにした、新規なる考案である。【０００２】  実用新案の性質、作用及び効果の要領
本案は以上の如くであるから、従来はミラーに、両面テープのみを張り合わせて携帯電話裏面に接着させていたため長時間使用後不使用時に剥がす場合容易に剥がせず、剥がした後に粘着糊が付着する欠点があった。また、マジックミラーをクリアー糊で携帯電話の画面上に貼り付けたものもあるが、これも長時間使用すると、汚損してミラーの鮮明さを失い剥がす場合も容易に剥がせず、携帯電話画面を傷める欠点があった。
本考案品は、ミラー破損時も簡単に剥がせて容易に交換出来る利点と長時間使用後、不使用時に簡単に剥がせる新素材であり、剥がしたときに糊残りが無く、携帯電話裏面を傷めず、然も必要に応じて繰返し使用出来る、ミクロ吸着シートと一体化した携帯電話用着脱フリーミラーであり、同時にミラー面を拭く場合の、図４に示せる着脱フリーミラー拭きは、超極細繊維のメガネ拭き用の素材でありこの布をミクロ吸着シートと一体化しセットしてある事によりミラー面を簡単に拭ける利点と携帯電話の液晶画面も拭ける便利さがあるたけでなく、ミラー面も液晶画面も一般の布、紙等で拭くと痛める場合が多く、この観点からしても大きな利便を提供出来るのである。
更に、着脱フリーミラー拭きの大きさを拡大しパソコンマウスパット用にデスク上に吸着すればマウス作業事にパットが移動しないばかりでなくマウス面を絶えず清掃するなど多用途に応用出来るのである。
近年、携帯電話は必携品であり、またミラーも特にに女性にとっては必携品てあり、この両者を一体化した携帯電話着脱フリーミラー、着脱フリーミラー拭きセットは、大変簡易な形体であるため、価格も極めて低廉であり、その益する所甚だ大である。
【図面の簡単な説明】
【０００３】
【図１】  着脱フリーミラー部分斜面図
【図２】  着脱フリーミラー拭き斜面図
【図３】  携帯電話着脱ミラー、着脱フリーミラー拭き吸着図
【図４】  携帯電話着脱フリーミラー、着脱フリーミラー拭き剥離時図
【図５】  携帯電話着脱フリーミラー部分拡大図
【図６】  着脱フリーミラー拭き部分拡大図
【符号の説明】
【０００４】  １．      ミラー
２．      両面テープ
３．      ミクロ吸着シート
４．      ミラー拭き
５．      両面テープ
６．      ミクロ吸着シート
７．      携帯電話裏面
【図１】
0003124741.tif 000003
【図２】
0003124741.tif 000004
【図３】
0003124741.tif 000005
【図４】
0003124741.tif 000006
【図５】
0003124741.tif 000007
【図６】
0003124741.tif 000008
【手続補正書】
【提出日】平成18年6月1日(2006.6.1)
【手続補正１】
【補正対象書類名】実用新案登録請求の範囲
【補正対象項目名】全文
【補正方法】変更
【補正の内容】
【実用新案登録請求の範囲】
【請求項１】
両面テープとミクロの吸盤により平滑面に吸着する形状を有する「ミクロの吸盤の吸着シート」を、ミラー及びミラー拭きに張り合わせ、ミラーとミラー拭きを両面テープとミクロの吸盤の吸着シートを介して携帯電話等の裏面に吸着させることを特徴とするミラー及びミラー拭きとを組合せたる構造。
(57)【要約】【課題】本考案は、ゴミ袋を保護するとともに、町の美化に貢献する。【解決手段】本考案は、金属製アングルで形成された骨組み１に板体２をネジ３で取り付けたものに、開閉面４を丁番５で接合する。開閉面を開放して中から金属製の網６を取り出し、設置したらその上に開閉面を乗せて上蓋とする。ゴミ袋は開閉面を開放し、網の中に入れる。このようにすることで、カラスなどの動物からゴミ袋を保護することができ、且つ、板体によりゴミ袋が見えにくくなるので、町の美化に貢献することができる。【選択図】図１
0003124747.tif 000002
【実用新案登録請求の範囲】
【請求項１】
金属製アングルでできた骨組みに板体を取り付け、前面が開閉する箱状とし、中に収納してある折りたたみ可能な網とともにゴミ袋を保護する、簡易ゴミ袋保護装置。
【考案の詳細な説明】
【技術分野】
【０００１】  本考案は、本体と収納されてある網を使ってゴミ袋を保護する、簡易ゴミ袋保護装置についてである。
【背景技術】
【０００２】  指定場所に集められたゴミ袋が、カラスなどの動物によって荒らされ、ゴミが散乱している。それを防ぐために、ゴミ袋に網を掛けるといった対策などをしている。
【考案の開示】
【考案が解決しようとする課題】
【０００３】  網を掛けるだけだと、ゴミ袋が外から見えるので、動物に荒らされるのを完全に防ぐことはできない。また、網の保管場所がないために、使った後もゴミ収集所にそのまま置いてあり、それが町の美観を大きく損ねている。したがって、ゴミ袋を見えなくするための機能と、ゴミ袋を動物から守るための機能と、網の保管場所を一体化することにより、前述の欠点を解決しようとするものである。
【課題を解決するための手段】
【０００４】  本考案は、金属製アングルでできた骨組みに、板体を取り付け、前面が開閉する箱状とした簡易ゴミ袋保護装置で、中に収納してある折りたたみ可能な網を立て、その上に装置本体の開閉部分を乗せ、上蓋とすることによりゴミ袋を保護、且つ、板体によりゴミ袋が見えなくなり、問題点を解決している。
【考案の効果】
【０００５】  上述の様に、本考案の簡易ゴミ袋保護装置は、ゴミ袋を保護することは勿論、保護するために用いた網も収納できるので、町の美観を損ねることはない。また、小屋状のゴミ置き場のように大掛かりな工事の必要がないので、経済的にも負担は少なく、且つ、持ち運びが可能なので、どこでも使えるという利点がある。
【考案を実施するための最良の形態】
【０００６】  装置本体は道幅を狭くしないように薄型とする。開閉面は２つに分割して丁番で固定し、２７０度まで開放できるようにし、開放した面が装置本体の上部に接触することによりゴミ袋の出し入れ時も勝手に閉じないようにする。ゴミ袋保護用の折りたたみ可能な網は、使用時に装置本体から取り出し、コ字型にして立て、その上に開閉面を乗せて上蓋とする。また、装置本体には網の収納部分の隣にホウキとチリトリの収納場所を設ける。こちらの構造も網の収納部分と同じとする。
【実施例】
【０００７】  以下、添付図面に従って一実施例を説明する。１は金属製アングルで形成された本体の骨組み、２は中を見えなくするために骨組みに取り付ける板体、例えばポリカーボネイトボードで、３のネジで骨組みと接合する。【０００８】  ４は本体の開閉面で、５の丁番で骨組みと接合されており、これを開放することにより中から６である金属製の網を取り出すことができる。網を設置したら開閉面を上に乗せる。そうすることにより開閉面が上蓋の役割をし、雨などからゴミ袋を保護することができる。また、開閉面は４−ａ、４−ｂ、４−ｃの３つに分割されており、それぞれに開閉しやすいように７の取っ手が付いている。４−ａと４−ｂはゴミ袋の出し入れ時に開閉するものだが、４−ｃはホウキとチリトリの収納場所の扉になっている。【０００９】  ６の網は折りたたみ式で、８の連結金具で接合されている。
【図面の簡単な説明】
【００１０】
【図１】本考案の簡易ゴミ袋保護装置の実施例を示す側面図である。
【図２】本考案の簡易ゴミ袋保護装置の実施例を示す正面図である。
【図３】本体内部に収納されている折りたたみ可能な網の平面図である。
【符号の説明】
【００１１】１  本体骨組み
２  ポリカーボネイトボード
３  ネジ
４  開閉面
５  丁番
６  金属製の網
７  取っ手
８  連結金具
【図１】
0003124747.tif 000003
【図２】
0003124747.tif 000004
【図３】
0003124747.tif 000005
(57)【要約】      （修正有）【課題】焼却炉はダイオキシン問題以来大規模高熱処理に限られているが、畑等は自然界の物をたき火焼却したいが、風により、山林に飛び火し森林火災になった事がある。本考案は、野焼きでの火の粉飛散を防止するたき火囲いの提供。【解決手段】本考案は、鋼板で箱型囲いを作り、火の粉飛散を防止する。鋼板プレートの四辺をコの字の形状に折り曲げ、縦方向は抱き合わせて柱とし、４面のつなぎを兼ねた形状を有する。四枚の鋼板プレートは、同一の形状の物であり、空気を供給する孔を片一方にかたよらせた鋼板プレートで出来ている。【選択図】図３
0003124748.tif 000002
【実用新案登録請求の範囲】
【請求項１】
鋼板の折り曲げは熱歪を小さくするため。
【請求項２】
四枚の鋼板プレートに施されている孔は  渦火が起こる様に空気を供給する孔の配列になっている。
【考案の詳細な説明】
【技術分野】
【０００１】たき火による  火の粉飛散防止と良く燃える事。
【背景技術】
【０００２】鋼板熱歪防止と渦火
【考案の開示】
【考案が解決しようとする課題】
【０００３】野焼きでの火の粉飛散の防止【０００４】燃焼の効率化
【課題を解決するための手段】
【０００５】鋼板で箱型囲いを作り  火の粉飛散を防止【０００６】空気供給孔を渦火が起こる様に施す。
【考案の効果】
【０００７】四方鋼板の囲いと  天板の縦格子により火の粉が  囲いの外に出に難くする。【０００８】囲いに施された孔より空気が入り  渦火が発生し火の勢いが良くなる。
【考案を実施するための最良の形態】
【０００９】焼くものとして  木の葉や枯草で自然界の物で  灰は肥料として役立つ。
【実施例】
【００１０】畑で枯草や収穫後の雑物を焼却【００１１】空地や家庭などの清掃で出る自然物の焼却
【産業上の利用可能性】
【００１２】農業、林業、家庭
【図面の簡単な説明】
【００１３】
【図１】熱歪の軽減を果す、鋼板折り曲げの接合部を示した平面図である。
【図２】渦火を発生させる孔開き鋼板を示した側面図。
【図３】縦格子の天板と組立完成の全体図。
【符号の説明】
【００１４】１  鋼板折り曲げ部分
２  渦火を発生させる孔
３  縦格子の天板
４  側板組立の姿
【図１】
0003124748.tif 000003
【図２】
0003124748.tif 000004
【図３】
0003124748.tif 000005
【手続補正書】
【提出日】平成18年5月31日(2006.5.31)
【手続補正１】
【補正対象書類名】実用新案登録請求の範囲
【補正対象項目名】全文
【補正方法】変更
【補正の内容】
【実用新案登録請求の範囲】
【請求項１】
鋼板プレートの四辺を  コの字の形状に折り曲げ  縦方向は抱き合わせて柱とし  ４面のつなぎを兼ねた形状を有する  たき火囲い。
【請求項２】
四枚の鋼板プレートは  同一の形状の物であり  空気を供給する孔を片一方にかたよらせた  鋼板プレートで出来ている  請求項１に記載のたき火囲い。
【手続補正２】
【補正対象書類名】明細書
【補正対象項目名】全文
【補正方法】変更
【補正の内容】
【考案の詳細な説明】
【技術分野】
【０００１】たき火による  火の粉飛散防止と良く燃焼する事。
【背景技術】
【０００２】鋼板の熱歪を鋼板プレートの４辺に  折り曲げる事で軽減し良く燃焼をするには  渦火を発生させるよう  かたよった位置より  空気を取り入れる。
【考案の開示】
【考案が解決しようとする課題】
【０００３】野焼きでの火の粉飛散の防止【０００４】燃焼の効率化
【課題を解決するための手段】
【０００５】鋼板で箱型囲いを作り  火の粉飛散を防止【０００６】空気供給孔を渦火が起こる様に施す
【考案の効果】
【０００７】四方を鋼板の囲いと  天板の縦格子により  火の粉が  囲いの外に出難くなる。【０００８】囲いに施された孔より空気が入り  渦火が発生し  火の勢いが良くなる。
【考案を実施するための最良の形態】
【０００９】焼く物として  木の葉や枯草で自然界の物で  灰は肥料として役立つ。
【実施例】
【００１０】畑で枯草や収穫後の雑物を焼却【００１１】空地や家庭などの清掃で出る自然物の焼却
【産業上の利用可能性】
【００１２】農業、林業、家庭
【図面の簡単な説明】
【００１３】
【図１】熱歪の軽減を果す、鋼板プレート折り曲げの接合部を示した平面図。
【図２】渦火を発生させる孔と  四辺の折り曲げを示す  鋼板プレート図。
【図３】縦格子の天板と鋼板プレートの  組立完成の全体図。
【符号の説明】
【００１４】１  鋼板折り曲げ部分
２  渦火を発生させる孔
３  縦格子の天板
４  鋼板プレート組立の姿
【手続補正３】
【補正対象書類名】図面
【補正対象項目名】全図
【補正方法】変更
【補正の内容】
【図１】
0003124748.tif 000006
【図２】
0003124748.tif 000007
【図３】
0003124748.tif 000008